(57)【要約】  【課題】盗難防止効果の高いボルトＢのロック装置Ｒを提供する。  【解決手段】ボルトＢに対する不正操作を防止するためのロック装置Ｒにおいて、締結状態のボルト頭部Ｂ１の周囲を覆い、当該ボルト頭部Ｂ１に対する操作を不能な状態に前記ボルト頭部Ｂ１を隠蔽するボルト隠蔽部１１と、当該ボルト隠蔽部１１を施錠する施錠部１２とを有するロック装置本体１と、前記ロック装置本体１の外周をカバーするカバー部材２とを具備する。  【選択図】図１
0003140389.tif 000002
【実用新案登録請求の範囲】
【請求項１】
ボルトに対する不正操作を防止するためのロック装置において、
締結状態のボルト頭部の周囲を覆い、当該ボルト頭部に対する操作を不能な状態に前記ボルト頭部を隠蔽するボルト隠蔽部と、当該ボルト隠蔽部を施錠する施錠部とを有するロック装置本体と、
前記ロック装置本体の外周をカバーするカバー部材とを具備することを特徴とするロック装置。
【請求項２】
前記ロック装置本体を、前記カバー部材の内方に収まる寸法としていることを特徴とする請求項１記載のロック装置。
【請求項３】
前記ロック装置本体を前記カバー部材に固定し、前記ロック装置本体の施開錠動作に伴い当該ロック装置本体が前記カバー部材に対して変位することを規制する規制部を備えていることを特徴とする請求項１又は２記載のロック装置。
【請求項４】
前記ロック装置本体が、当該ロック装置本体を前記カバー部材の内方に挿入するために開口した挿入口の内形と略同形の外形を有する蓋体を具備していることを特徴とする請求項１乃至３記載のロック装置。
【請求項５】
前記ロック装置本体と前記カバー部材とを別体とし、前記ロック装置本体の施開錠動作に伴い当該ロック装置本体が前記カバー部材に対して変位可能に構成していることを特徴とする請求項１、２、又は４記載のロック装置。
【考案の詳細な説明】
【技術分野】
【０００１】
本考案は、自動二輪車などのボルトの締結状態を維持するために用いるロック装置に関するものである。
【背景技術】
【０００２】
従来、自動二輪車には、マフラー、ホイール、フロントフォーク、リアフォークなどの取り付けやナンバープレートの取り付けなど様々な部品を取り付けるために多様なボルトが用いられている。
（例えば、特許文献１を参照）。
【特許文献１】実用新案登録第３０９０５２５号
【考案の開示】
【考案が解決しようとする課題】
【０００３】
しかし、近年、前記ボルトを取り外して各種部品を持ち去る盗難事件が発生している。かかる盗難を防止すべく特殊なボルトなどが考案されているが、ボルトの頭部が露呈している構造が多いため、無理やりこじ開けられてしまうという危険性を拭い去れなかった。
【課題を解決するための手段】
【０００４】
そこで、本考案は、ボルトに対する不正操作を防止するためのロック装置において、締結状態のボルト頭部の周囲を覆い、当該ボルト頭部に対する操作を不能な状態に前記ボルト頭部を隠蔽するボルト隠蔽部と、当該ボルト隠蔽部を施錠する施錠部とを有するロック装置本体と、前記ロック装置本体の外周をカバーするカバー部材とを具備することを特徴とする。
【０００５】
これにより、汎用品のボルトを用いてもボルトに対する不正操作を好適に防止し防犯性を高めることが可能となる。更に、前記ロック装置本体をカバー部材にて覆っているため、ロックをこじ開けられる事を防ぐことができる。加えて、不意な衝撃などによりロック装置本体が破損することを防止できる。また、前記カバー部材によりデザイン性を付与することが可能となる。
【０００６】
更にロック装置本体の保護を効果的に行うためには、前記ロック装置本体を、前記カバー部材の内方に収まる寸法とすることが望ましい。
【０００７】
また、前記ロック装置本体を前記カバー部材に固定し、前記ロック装置本体の施開錠動作に伴い当該ロック装置本体が前記カバー部材に対して変位することを規制する規制部を備えることで、ロック装置本体が定位置からズレルことなく施開錠動作を円滑に行うことができる。
【０００８】
加えて、前記ロック装置本体が、当該ロック装置本体を前記カバー部材の内方に挿入するために開口した挿入口の内形と略同形の外形を有する蓋体を具備することにより、ロック装置本体に対する不正を防止することが可能となる。
【０００９】
更に、前記ロック装置本体と前記カバー部材とを別体とし、前記ロック装置本体の施開錠動作に伴い当該ロック装置本体が前記カバー部材に対して変位可能に構成することで、カバー部材に対する操作によるロック装置本体への影響を無くし防犯性を高めることもできる。
【考案の効果】
【００１０】
汎用品のボルトを用いてもボルトに対する不正操作を好適に防止し防犯性を高めることが可能となる。更に、前記ロック装置本体をカバー部材にて覆っているため、ロックをこじ開けられる事を防ぐことができる。加えて、不意な衝撃などによりロック装置本体が破損することを防止できる。また、前記カバー部材によりデザイン性を付与することが可能となる。
【考案を実施するための最良の形態】
【００１１】
本考案に係るロック装置Ｒは、ボルトＢに対する不正操作を防止し盗難などを未然に防ぐためのものである。本実施形態においては、図１に示すように、当該ロック装置Ｒを自動二輪Ａに用いた場合について詳述する。
【００１２】
図１は、自動二輪ＡのリアフォークＦを固定するボルトＢにロック装置Ｒを取り付けた状態を示す側面図であり、図３は、当該ロック装置Ｒの分解図である。
【００１３】
具体的には、当該ロック装置Ｒは、図４に示すように、締結状態のボルト頭部Ｂ１の周囲を覆い、当該ボルト頭部Ｂ１に対する操作を不能な状態に前記ボルト頭部Ｂ１を隠蔽するボルト隠蔽部１１と、当該ボルト隠蔽部１１を施錠する施錠部１２とを有するロック装置本体１と、前記ロック装置本体１の外周をカバーするカバー部材２とを具備している。
【００１４】
以下、各構成について詳述する。
【００１５】
ロック装置本体１は、図５乃至図７に示すように、円筒状のシリンダ１１１と、当該シリンダ１１１内に挿脱可能な円筒状の蓋体１１２とを備え、締結状態のボルト頭部Ｂ１の周囲を覆い、当該ボルト頭部Ｂ１に対する操作を不能な状態に前記ボルト頭部Ｂ１を隠蔽するボルト隠蔽部１１と、当該ボルト隠蔽部１１を前記ボルト頭部Ｂ１を覆い隠した状態で施錠可能な施錠部１２とを構成している。尚、当該ロック装置本体１は、後述するカバー部材２の内方に収まる寸法を有している。
【００１６】
ボルト隠蔽部１１は、前記ボルト頭部Ｂ１を下方向及び周方向から覆う有底円筒状のシリンダ１１１と、当該シリンダ１１１内に挿入された状態で前記ボルト頭部Ｂ１を上方向から覆う蓋体１１２とから構成している。
【００１７】
シリンダ１１１は、ボルト挿通孔１１１ａを開口した底壁１１１Ａと、当該底壁１１１Ａから起立する周壁１１１Ｂとを有し、その内部に前記ボルト頭部Ｂ１と前記蓋体１１２とを収納可能な収納空間Ｓ１を形成している。また、当該シリンダ１１１は、前記蓋体１１２を前記収納空間Ｓ１内に挿入可能とする挿入口１１１ｂを上方に向けて開口している。更に、当該シリンダ１１１の底壁１１１Ａを後述するカバー部材２の底壁２１に溶接することにより、当該シリンダ１１１とカバー部材２とを一体に構成している。つまり、シリンダ１１１の底壁１１１Ａをカバー部材２の底壁２１に溶接することにより、当該シリンダ１１１を具備する前記ロック装置本体１を前記カバー部材２に固定し、前記ロック装置本体１の施開錠動作に伴い当該ロック装置本体１が前記カバー部材２に対して変位することを規制する規制部１３を構成している。
【００１８】
ボルト挿通孔１１１ａの内径は、前記ボルトＢの軸部Ｂ２の外径と略同径としている。したがって、当該ボルト挿通孔１１１ａを介して前記ボルト軸部Ｂ２は挿通可能であるが、前記ボルト頭部Ｂ１は挿通できない。
【００１９】
蓋体１１２は、前記挿入口１１１ｂに蓋をする蓋要素１１２Ａと、当該蓋要素１１２Ａの下面から垂下する円筒状の本体要素１１２Ｂとからなる。
【００２０】
蓋要素１１２Ａは、前記シリンダ１１１の挿入口１１１ｂの内径よりも大なる外径をなす平面視円形の円盤である。前記蓋体１１２を前記シリンダ１１１に挿入した状態において、蓋要素１１２Ａの下面が前記シリンダ１１１の上面に当接し、当該蓋要素１１２Ａが前記挿入口１１１ｂの蓋となる。
【００２１】
本体要素１１２Ｂは、前記シリンダ１１１の内径と略同様の外径を有している。挿入方向の寸法を前記シリンダ１１１よりも短寸としており、前記シリンダ１１１内に挿入した状態で当該本体要素１１２Ｂの下方に前記ボルト頭部Ｂ１を収納する空隙Ｓ２を形成している。
【００２２】
施錠部１２は、前記シリンダ１１１の周壁１１１Ｂに開口した係止孔１２１と、当該係止孔１２１に係止するロック片１２２とを具備し、前記蓋要素１１２Ａに開口する鍵穴１２３から鍵部材Ｋを挿入して回動することにより前記ロック片１２２を前記係止孔１２１に対して進退可能に構成している。施錠時には、前記ロック片１２２が前記係止孔１２１に係止し前記シリンダ１１１から前記蓋体１１２が抜けないように固定する。
【００２３】
係止孔１２１は、図９乃至図１０に示すように、前記シリンダ１１１の周壁１１１Ｂの下方に開口している。
【００２４】
ロック片１２２は、図７に示すように、前記蓋体１１２の挿入方向と直交する方向に向って前記蓋体１１２の本体要素１１２Ｂから突出しており、図示しない部材により前記係止孔１２１に係止する方向に弾性付勢されている。そして、前記鍵部材Ｋを回動する施開錠動作に伴い、当該ロック片１２２を前記係止孔１２１から退避する退避位置と前記係止孔１２１に係止する係止位置との間を進退可能に構成している。
【００２５】
カバー部材２は、ボルト挿通孔２ａを開口した底壁２１と、当該底壁２１から起立する周壁２２とを有し、その内方に前記ロック装置本体１の全体を収納可能な収納空間Ｓ３を形成している。金属製の当該カバー部材２は、下方から上方に向けてその内径を徐々に広径とし漏斗状の形状を形成している。当該カバー部材２は、上方に向けて開口する挿入口２ｂを設けており、当該挿入口２ｂを介して前記ロック装置本体１を前記収納空間Ｓ３に対して挿脱可能としている。
【００２６】
ボルト挿通孔２ａの内径は、前記ボルトＢの軸部Ｂ２の外径と略同径としている。したがって、当該ボルト挿通孔２ａを介して前記ボルト軸部Ｂ２は挿通可能であるが、前記ボルト頭部Ｂ１は挿通できない。
【００２７】
次に、本実施形態のロック装置Ｒの使用方法について説明する。
【００２８】
まず、図３に示すように、シリンダ１１１及びカバー部材２のボルト挿通孔１１１ａ、２ａにボルト軸部Ｂ２を挿入し、前記シリンダ１１１の底壁１１１Ａ上面にボルト頭部Ｂ１の下面が当接するまでボルトＢを締め付けて締結状態とする。そして、前記鍵部材Ｋを用いてロック片１２２を後退させた状態で前記蓋体１１２を前記シリンダ１１１内に挿入した後、鍵部材Ｋを施錠方向に回動し、図５に示すようにロック片１２２を前記係止孔１２１に係止する。
【００２９】
ロックを解除する際には、前記鍵部材Ｋを逆方向（開錠方向）に回動してロック片１２２を前記係止孔１２１から退避させ、前記蓋体１１２をシリンダ１１１から取り外す。
【００３０】
以上のように、ボルトＢに対する不正操作を防止するためのロック装置Ｒにおいて、締結状態のボルト頭部Ｂ１の周囲を覆い、当該ボルト頭部Ｂ１に対する操作を不能な状態に前記ボルト頭部Ｂ１を隠蔽するボルト隠蔽部１１と、当該ボルト隠蔽部１１を施錠する施錠部１２とを有するロック装置本体１と、前記ロック装置本体１の外周をカバーするカバー部材２とを具備していることで、汎用品のボルトＢを用いてもボルトＢに対する不正操作を好適に防止し防犯性を高めることが可能となる。更に、前記ロック装置本体１をカバー部材２にて覆っているため、ロックをこじ開けられる事を防ぐことができる。加えて、不意な衝撃などによりロック装置本体１が破損することを防止できる。また、前記カバー部材２によりデザイン性を付与することが可能となる。
【００３１】
更に、前記ロック装置本体１を、前記カバー部材２の内方に収まる寸法としているため、ロック装置本体１の保護効果を高めることができる。
【００３２】
また、前記ロック装置本体１を前記カバー部材２に固定し、前記ロック装置本体１の施開錠動作に伴い当該ロック装置本体１が前記カバー部材２に対して変位することを規制する規制部１３を備えていることで、ロック装置本体１が定位置からズレルことなく施開錠動作を円滑に行うことができる。
【００３３】
なお、本考案は、以上に詳述した実施形態に限られるものではない。
【００３４】
例えば、更にロック装置本体１に対する不正を防止するためには、図１１、図１２に示すように、当該ロック装置本体Ｔ１を前記カバー部材Ｔ２の内方に挿入するために開口した挿入口Ｔ２ｂの内形と略同形の外形を有する蓋体Ｔ１１２を前記ロック装置本体Ｔ１が具備する構成とすることで、前記ロック装置本体Ｔ１とカバー部材Ｔ２との間の空隙を無くしたロック装置ＴＲとしてもよい。
【００３５】
尚、図１１、図１２において、上記実施形態と同様の構成については上記実施形態と同じ符号を付している。
【００３６】
更に、本実施形態においては、前記ロック装置本体１を前記カバー部材２に固定していたが、シリンダ１１１の底壁１１１Ａとカバー部材２の底壁２１とを溶接せずに前記ロック装置本体１と前記カバー部材２とを別体とし、前記ロック装置本体１の施開錠動作に伴い当該ロック装置本体１が前記カバー部材２に対して変位可能となる構成とし、カバー部材２に対する操作によるロック装置本体１への影響を無くして防犯性を高めることもできる。
【００３７】
また、ロック装置本体１のロック機構は上述のものに限定されない。例えば、磁石式のロック機構などを採用するロック装置本体１を用いることも考えられる。
【００３８】
加えて、本実施形態においては、シリンダ１１１の底壁１１１Ａとカバー部材２の底壁２１とを溶接することにより規制部１３を構成しているが、カバー部材２の底壁２１に規制孔を開孔し、当該規制孔にシリンダ１１１の底壁１１１Ａから垂下させた凸軸を係止することにより、施開錠動作に伴う前記シリンダ１１１の回動を規制してもよい。
【００３９】
その他、各部の具体的構成についても上記実施形態に限られるものではなく、本考案の趣旨を逸脱しない範囲で種々変形が可能である。
【図面の簡単な説明】
【００４０】
【図１】本考案の第一実施形態に係るロック装置Ｒを取り付けた状態を示す自動二輪Ａの概略図。
【図２】同実施形態に係るロック装置Ｒを外した状態を示す自動二輪Ａの概略図。
【図３】同実施形態に係るロック装置Ｒの分解正面図。
【図４】同実施形態に係るロック装置Ｒの施錠状態を示す平面図。
【図５】同実施形態に係るロック装置Ｒの施錠状態を示す正面図。
【図６】同実施形態に係るロック装置本体１を示す平面図。
【図７】同実施形態に係るロック装置本体１を示す正面図。
【図８】同実施形態に係るカバー部材２とロック装置本体１のシリンダ１１１を示す平面図。
【図９】同実施形態に係るカバー部材２とロック装置本体１のシリンダ１１１を示す側面図。
【図１０】同実施形態に係るカバー部材２とロック装置本体１のシリンダ１１１を示す正面図。
【図１１】本考案の他の実施形態に係るロック装置ＴＲの施錠状態を示す平面図。
【図１２】他の実施形態に係るロック装置ＴＲの施錠状態を示す正面図。
【符号の説明】
【００４１】
Ｂ・・・ボルト
Ｂ１・・・ボルト頭部
Ｒ・・・ロック装置
ＴＲ・・・ロック装置
Ｔ１・・・ロック装置本体
Ｔ２・・・カバー部材
Ｔ２ｂ・・・挿入口
Ｔ１１２・・・蓋体
１・・・ロック装置本体
２・・・カバー部材
１１・・・ボルト隠蔽部
１２・・・施錠部
１３・・・規制部
【図１】
0003140389.tif 000003
【図２】
0003140389.tif 000004
【図３】
0003140389.tif 000005
【図４】
0003140389.tif 000006
【図５】
0003140389.tif 000007
【図６】
0003140389.tif 000008
【図７】
0003140389.tif 000009
【図８】
0003140389.tif 000010
【図９】
0003140389.tif 000011
【図１０】
0003140389.tif 000012
【図１１】
0003140389.tif 000013
【図１２】
0003140389.tif 000014
【手続補正書】
【提出日】平成20年1月22日(2008.1.22)
【手続補正１】
【補正対象書類名】実用新案登録請求の範囲
【補正対象項目名】全文
【補正方法】変更
【補正の内容】
【実用新案登録請求の範囲】
【請求項１】
ボルトに対する不正操作を防止するためのロック装置において、
締結状態のボルト頭部の周囲を覆い、当該ボルト頭部に対する操作を不能な状態に前記ボルト頭部を隠蔽するボルト隠蔽部と、当該ボルト隠蔽部を施錠する施錠部とを有するロック装置本体と、
前記ロック装置本体の外周をカバーするカバー部材とを具備することを特徴とするロック装置。
【請求項２】
前記ロック装置本体を、前記カバー部材の内方に収まる寸法としていることを特徴とする請求項１記載のロック装置。
【請求項３】
前記ロック装置本体を前記カバー部材に固定し、前記ロック装置本体の施開錠動作に伴い当該ロック装置本体が前記カバー部材に対して変位することを規制する規制部を備えていることを特徴とする請求項１又は２記載のロック装置。
【請求項４】
前記ロック装置本体が、当該ロック装置本体を前記カバー部材の内方に挿入するために開口した挿入口の内形と略同形の外形を有する蓋体を具備していることを特徴とする請求項１〜３のいずれか１項に記載のロック装置。
【請求項５】
前記ロック装置本体と前記カバー部材とを別体とし、前記ロック装置本体の施開錠動作に伴い当該ロック装置本体が前記カバー部材に対して変位可能に構成していることを特徴とする請求項１、２、又は４記載のロック装置。